(57)【要約】【課題】熱源機のリモコン装置に適した文字情報受信・表示システムを提供する。【解決手段】  ＦＭ文字多重放送電波は受信アンテナ３を介して転送制御部１４に取り込まれる。転送制御部１４は、ＣＰＵ１２からの転送指令を受けて、ＦＭ文字多重放送電波にリモコン駆動電源を重畳させて２芯ケーブル８，９を介してリモコン装置４，５に転送する。リモコン装置４における文字情報の表示は以下のように行われる。電源分離部２０において重畳電波からＦＭ放送電波が分離され、ＦＭ放送電波はさらにＦＭ信号分離部２２において文字信号と音声信号に分離される。分離された文字情報は、ユーザーの番組選択に基づくＣＰＵ２４の指令により文字情報受信部２５から表示部２７に伝送され、液晶画面上に表示される。この場合、ユーザーの番組選択は、音声／文字放送切替ボタン３２、番組選択ボタン３４を適宜操作することにより好みの文字情報番組を選択することにより行われる。【選択図】図１
2005110073.tif 000002
【特許請求の範囲】
【請求項１】
屋外において文字多重放送電波を受信する受信手段と、前記放送電波を一又は複数のリモコン装置に転送する転送手段と、を備え、かつ、前記リモコン装置の全部又は一部が文字情報表示手段を備えて成ることを特徴とする文字情報受信・表示システム。
【請求項２】
前記受信手段及び前記転送手段が、屋外設置型熱源機に搭載されて成ることを特徴とする請求項１に記載の文字情報受信・表示システム。
【請求項３】
前記屋外設置型熱源機が、ガス熱源機であることを特徴とする請求項２に記載の文字情報受信・表示システム。
【請求項４】
前記ガス熱源機は、さらに運転に伴う電気的ノイズ発生時に放送電波の転送を中断する手段を備えたことを特徴とする請求項３に記載の文字情報受信・表示システム。
【請求項５】
前記受信手段が屋外設置型アンテナにより構成され、前記転送手段が一の前記リモコン装置に搭載されて成ることを特徴とする請求項１に記載の文字情報受信・表示システム。
【請求項６】
放送電波の転送が、特定省電力無線又はブルートゥースのいずれかを介してなされるものであることを特徴とする請求項１乃至５に記載の文字情報受信・表示システム。
【発明の詳細な説明】
【技術分野】
【０００１】
本発明は、文字多重放送電波による文字情報受信・表示システムに関し、特に、熱源機のリモコン装置に適した文字情報受信・表示システムに関する。
【背景技術】
【０００２】
近年、ＴＶの空き走査線やＦＭラジオ放送音声信号の多重化による文字多重放送が実用化されている。また、この技術を家庭用熱源機のリモコンに利用してＦＭ文字多重放送に含まれる各種文字情報の受信表示機能を搭載するシステムが提案されている。さらに、このシステムを低コストかつ受信感度良好に実現する技術も提案されている。（例えば、特許文献特開２００１−１５７２７４号公報）。この技術は、相互に通信可能に接続された複数のリモコン装置のうち、受信感度良好な場所に設置するリモコン装置を文字多重放送受信可能に構成し、そこから他のリモコン装置に文字情報を転送して表示させるものである。
しかしながら、一般にガス機器等、熱源機のリモコン装置は受信感度が悪い屋内中央部に設置されることが多く、特に、マンション等の集合住宅においては、リモコン装置が受信感度良好な窓際に設置されているケースは極めてまれである。従って、提案されているシステムを実現することは、現実的には困難であるという問題がある。
【特許文献１】特開２００１−１５７２７４号公報
【発明の開示】
【発明が解決しようとする課題】
【０００３】
本発明は、このような問題を解決するためのものであって、熱源機のリモコン装置を用いた文字情報受信・表示システムに好適な技術を提供するものである。
【課題を解決するための手段】
【０００４】
本発明は以下の内容をその要旨とする。すなわち、
【０００５】
（１）屋外において文字多重放送電波を受信する受信手段と、前記放送電波を一又は複数のリモコン装置に転送する転送手段と、を備え、かつ、前記リモコン装置の全部又は一部が文字情報表示手段を備えて成ることを特徴とする文字情報受信・表示システム。
【０００６】
（２）前記受信手段及び前記転送手段が、屋外設置型熱源機に搭載されて成ることを特徴とする上記（１）に記載の文字情報受信・表示システム。
【０００７】
屋外設置型熱源機の熱源としては、ガス、電気、灯油等が一般的である。このうち、ガス・灯油式の代表的な機種としては、給湯器、給湯暖房機、給湯付風呂釜等があり、電気式としては電気温水器等がある。
【０００８】
（３）前記屋外設置型熱源機が、ガス熱源機であることを特徴とする上記（２）に記載の文字情報受信・表示システム。
【０００９】
（４）前記ガス熱源機は、さらに運転に伴う電気的ノイズ発生時に放送電波の転送を中断する手段を備えたことを特徴とする上記（３）に記載の文字情報受信・表示システム。
【００１０】
ガス熱源機の運転時に発生する「電気的ノイズ」としては、点火時のスパークによるものが代表的なものであるが、これ以外にも電波受信障害の原因になるものを含む概念である。
【００１１】
（５）前記受信手段が屋外設置型アンテナにより構成され、前記転送手段が一の前記リモコン装置に搭載されて成ることを特徴とする上記（１）に記載の文字情報受信・表示システム。
【００１２】
屋外設置型アンテナで受信した電波を、複数のリモコン装置の中の特定の１台に転送し、これをさらに他のリモコン装置に転送するシステムである。
【００１３】
「屋外設置型アンテナ」としては、戸別のＴＶ・ＦＭアンテナを用いることができる。さらに、ＣＡＴＶ方式やマンション等の共同受信アンテナ方式を含む概念である。
【００１４】
（６）放送電波の転送が、特定省電力無線又はブルートゥースのいずれかを介してなされるものであることを特徴とする上記（１）乃至（５）に記載の文字情報受信・表示システム。
【発明の効果】
【００１５】
上記各発明によれば、受信感度良好な屋外で文字放送電波を受信し、各リモコン装置に転送するので、住宅形態やリモコン装置の設置場所に関わらす、全てのリモコン装置で良好な文字情報の表示が可能となるという効果がある。
【００１６】
さらに、（２）又は（３）の発明によれば、戸建住宅やマンションの屋外に設置されることの多い熱源機に受信・転送装置を搭載することができるため、これを利用した文字情報受信・表示システムが可能となる。
【００１７】
さらに、（４）の発明によれば、ガス熱源機の点火時等の電気的ノイズ発生に伴う受信障害を防止することが可能となる。
【００１８】
さらに、（５）又は（６）の発明によれば、既設のＴＶ・ＦＭアンテナ、ＣＡＴＶ、マンション等の共同受信アンテナを利用したシステムの構築が可能となる。また、浴室テレビ用にユニットバス近傍にＴＶケーブルが敷設されている場合には、浴室リモコンで文字情報を受信して、他のリモコン装置に情報を転送することが容易に可能となる。
【００１９】
さらに、（６）の発明によれば、リモコン装置間を有線で接続できない場合であっても、本発明を実現できるという効果がある。
【発明を実施するための最良の形態】
【００２０】
以下、本発明に係る文字情報受信・表示システムの実施形態について、図１乃至６を参照してさらに詳細に説明する。なお、重複を避けるため、各図において同一構成には同一符号を用いて示している。
【００２１】
なお、本発明の範囲は特許請求の範囲記載のものであって、以下の実施形態に限定されないことはいうまでもない。
【００２２】
（第一の実施形態）
図１は、本発明の第一の実施形態に係るＦＭ文字情報受信・表示システム１の全体概要を示すものである。同図において、ＦＭ文字情報受信・表示システム１は、住戸７の屋外に設置されるガス給湯器２、ガス給湯器２に内蔵され、給湯運転制御及びＦＭ文字情報の受信及び転送を行う制御部１０、住戸７の部屋７ａ及び７ｂにそれぞれ設置され、転送された文字情報の受信・表示を行うリモコン装置４，５を主要構成とする。制御部１０とリモコン装置４，５間の信号授受は２芯ケーブル８，９を介して行われる。ＦＭ文字多重放送電波は、ガス給湯器２に設けられた受信アンテナ３を介して取り込まれる。
【００２３】
図２は、制御部１０の回路ブロックを示す図である。制御部１０は、回路全体の制御を行うＣＰＵ１２、受信アンテナ３から取り込まれたＦＭ放送電波を受信し、後述する各リモコン装置に転送する転送制御部１４、給湯器２の点火状況を監視しその情報をＣＰＵ１２に伝達する点火監視部１１、リモコン装置に電源を供給する電源供給部１５を主要構成とする。なお、制御部１０はこれら以外に給湯器２の運転制御回路をも有しているが、図では省略する。
【００２４】
制御部１０におけるＦＭ文字情報の受信及び転送は次のように行われる。すなわち、ＦＭ文字多重放送電波は受信アンテナ３を介して転送制御部１４に取り込まれる。転送制御部１４は、ＣＰＵ１２からの転送指令を受けて、ＦＭ文字多重放送電波にリモコン駆動電源を重畳させて２芯ケーブル８，９を介してリモコン装置４，５に転送する。
【００２５】
図３は、リモコン装置４の回路ブロックを示す図である。リモコン装置４は、装置全体の制御を行うＣＰＵ２４、通信線８を介して伝送される重畳電波からＦＭ放送電波を分離する電源分離部２０、リモコン装置４の電力供給を司る電源供給部２１、分離されたＦＭ放送電波を音声信号と文字信号にさらに分離するＦＭ信号分離部２２，分離された文字情報を取得する文字情報受信部２５、音声信号を外部音声に変換する音声信号制御部２３、文字情報を適宜保存するメモリ部２８、給湯運転／ＦＭ放送の選択を行う操作部２６、給湯運転又はＦＭ放送状況表示及び文字情報の内容を表示する表示部２７により構成されている。ここに、ＦＭ信号分離部２２は、受信回路、チューナー、復調回路（いずれも不図示）を主要構成とする。文字情報受信部２５は、文字情報分離回路、復号回路、復号に際しての誤り訂正回路（いずれも不図示）を主要構成とする。なお、リモコン装置４は、上記以外に給湯器２の運転制御のための回路をも有しているが、ここでは図示及び説明を省略する。
【００２６】
図４は、リモコン装置４の外観図である。リモコン装置４は、表示部２７、操作部２６に該当する運転ボタン３１、音声／文字放送切替ボタン３２、番組選択ボタン３４を備えている。リモコン装置４は、これ以外にも給湯制御等のためのボタンを備えているが、ここでは図示を省略する。
【００２７】
リモコン装置４における文字情報の表示は以下のように行われる。電源分離部２０において重畳電波からＦＭ放送電波が分離され、ＦＭ放送電波はさらにＦＭ信号分離部２２において文字信号と音声信号に分離される。分離された文字情報は、ユーザーの番組選択に基づくＣＰＵ２４の指令により文字情報受信部２５から表示部２７に伝送され、液晶画面上に表示される。この場合、ユーザーの番組選択は、音声／文字放送切替ボタン３２、番組選択ボタン３４を適宜操作することにより好みの文字情報番組を選択することにより行われる。
【００２８】
リモコン装置５の構成はリモコン装置４と同一であり、また、文字情報受信・表示機能についてもリモコン装置４と同様にして行われるため、説明を省略する。
【００２９】
次に、図５を参照して、給湯器２の制御部１０からリモコン装置４に対して文字情報を転送している状態において、ユーザーが給湯使用した場合の転送中断制御について説明する。給湯開始に伴い、給湯器２のバーナ（図示せず）に点火スパークが行われる。その際の点火信号を受信することにより以下の制御を行う。のすなわち、文字情報の転送が行われている状態で（Ｓ１０１）、ＣＰＵ１２は点火監視部１１からの点火信号を受けると（Ｓ１０２）、転送制御部１４に対して転送の中断を指示する（Ｓ１０３）。この状態で点火信号の有無を継続的に監視し（Ｓ１０４）、点火信号を受けなくなった場合は点火が終了したと判断して、文字情報の転送を再開するよう指示する（Ｓ１０５）。点火信号を受けている間は転送の中断を継続する（Ｓ１０６）。
【００３０】
なお、本実施形態では転送を中断する場合として、点火時のスパークによる例を示したが、これに限らず、電気ノイズを発生させる原因となる他のケースに適用することもできる。
【００３１】
本実施形態では、給湯器２の制御部１０がＦＭ文字多重放送電波の受信及び転送制御のみを行い、リモコン装置４，５が受信したＦＭ放送電波を音声信号と文字信号に分離して文字情報を表示する形態としたが、制御部１０で文字信号の分離をも行い、リモコン装置に転送する形態としてもよい。
【００３２】
（第二の実施形態）
次に、本発明に係る文字情報受信・表示システムの他の実施形態について、図６を参照して説明する。本実施形態が先の実施形態と異なる点は、以下の通りである。
【００３３】
まず、ＦＭ文字多重放送電波受信を屋外設置型給湯器で行うのではなく、屋外設置アンテナで行う点である。また、受信した文字情報の転送を給湯器が行うのではなく、複数のリモコン装置のうちの特定のリモコン装置から行う点である。すなわち、本実施形態の文字情報受信・表示システム４０は、屋外設置型ＦＭアンテナ４１、受信したＦＭ電波をリモコン装置４４に転送する同軸ケーブル４２ａ、４２ｂを備えている。給湯器４６の制御部４７は文字情報転送制御機能を有さず、通常の給湯制御機能のみを有している。これに対してリモコン装置４４は、第一の実施形態の給湯器２における制御部１０と同様の機能を有した転送制御部（図示せず）を備えている。さらに、リモコン装置４４はブルートゥース方式による無線電波転送を行う転送部４８を備えており、リモコン装置４５はブルートゥース方式による無線電波受信部４９を備えている。その他の構成については、第一の実施形態と同一である。各リモコン装置の表示機能についても第一の実施形態と同様である。
【００３４】
本実施形態における文字情報の受信・転送は次のように行われる。ＦＭ文字多重放送電波は、ＦＭアンテナ４１から取り込まれ、同軸ケーブル４２ａを介して分配器４３においてリモコン装置４４と他の系統（図示せず）に分配される。分配されたＦＭ文字多重放送電波は、同軸ケーブル４２ｂを介してリモコン装置４４に導かれる。ここで先の実施形態と同様にして文字情報の表示が行われる。さらに、文字情報は、ブルートゥース方式による無線電波に変換されて転送部４８からリモコン装置４５に転送される。
【００３５】
本実施形態では電波受信のためにＦＭ受信アンテナを用いた例を示したが、これに限らずＴＶ／ＦＭ共用アンテナであってもよい。
【００３６】
また、  本実施形態では一のリモコン装置から他のリモコン装置に対する文字情報の無線による転送はブルートゥース方式の例を示したが、これに限らず他の無線方式、例えば特定省電力無線方式であってもよい。さらに、無線方式に限らず、有線方式を採用することもできる。この場合、給湯器と各リモコン装置を接続するリモコンケーブルを用いることも可能である。
【産業上の利用可能性】
【００３７】
本発明によれば、屋内のＦＭ電波受信感度が悪い住宅においても、良好な文字情報の受信・表示が実現できる。また、文字多重放送電波受信部を一箇所持てばよいため、システム全体のコストダウンが可能となる。
【図面の簡単な説明】
【００３８】
【図１】本発明の第一の実施形態に係る文字情報受信・表示システムを示す図である。
【図２】給湯器２の制御部１０の回路ブロックを示す図である。
【図３】リモコン装置４の回路ブロックを示す図である。
【図４】リモコン装置４の外観図である。
【図５】給湯器２の制御部１０における文字情報転送中断制御フローを示す図である。
【図６】本発明の第二の実施形態に係る文字情報受信・表示システムを示す図である。
【符号の説明】
【００３９】
１、４０・・・文字情報受信・表示システム
２、４６・・・給湯器
３ ・・・受信アンテナ
４、５ 、４４、４５・・・リモコン装置
８、９・・・二芯ケーブル
１０ ・・・制御部
１１ ・・・点火監視部
１４・・・ 転送制御部
１５ ・・・電源供給部
２０ ・・・電源分離部
２１ ・・・電源供給部
２２・・・ 信号分離部
２３ ・・・音声信号制御部
２５ ・・・文字情報受信部
２６・・・ 操作部
２７・・・ 表示部
２８ ・・・メモリ部
３１・・・運転ボタン
３２ ・・・文字放送切替ボタン
３４・・・ 番組選択ボタン
４１ ・・・ＦＭアンテナ
４２ａ、４２ｂ ・・・同軸ケーブル
【図１】
2005110073.tif 000003
【図２】
2005110073.tif 000004
【図３】
2005110073.tif 000005
【図４】
2005110073.tif 000006
【図５】
2005110073.tif 000007
【図６】
2005110073.tif 000008